(57)【要約】【課題】寺院や葬祭施設などにおいて愛玩動物の葬儀や供養を行うための最適のシステム、装置、道具、部屋の構成などを新たに開発する。その際に、対象が動物であっても違和感を生じない「ご本尊」をきちんと定めることを中心の目標として全体のシステムを構成する。【解決手段】専用の空間内に、釈迦涅槃図あるいは釈迦涅槃像に加え、愛玩動物の遺影、立体像、半立体像、名前を表記した文字、遺骨、位牌、のうちいずれか、又はそれらの組み合わせを配置してなることを特徴とする愛玩動物用の葬儀・供養システムを提供する。【選択図】        図１
0003148256.tif 000002
【実用新案登録請求の範囲】
【請求項１】
専用の空間内に、横臥せる釈迦の図像を中心にして人物の図像及び動物の図像を表した釈迦涅槃図に加え、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のうちのいずれか、又はそれらの組み合わせ、さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易且堅固さを配置してなることを特徴とする愛玩動物用の葬儀・供養システム。
【請求項２】
専用の空間内に、横臥せる釈迦の姿を表した釈迦涅槃像に加え、愛玩動物の遺影、愛玩動物の立体像、愛玩動物の半立体像、愛玩動物の映像、愛玩動物の名前を表記した文字、愛玩動物の遺骨、愛玩動物の位牌、のうちのいずれか、又はそれらの組み合わせ、さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易且堅固さを配置してなることを特徴とする愛玩動物用の葬儀・供養システム。
【請求項３】
釈迦涅槃図が上記空間内の壁面に装着され、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のいずれか、又はそれらの組み合わせ、が釈迦涅槃図の手前に設置されていることを特徴とする請求項１に記載の愛玩動物用の葬儀・供養システム。
【請求項４】
釈迦涅槃像が上記空間内に設置され、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のいずれか、又はそれらの組み合わせ、が釈迦涅槃像の手前に設置されていることを特徴とする請求項２に記載の愛玩動物用の葬儀・供養システム。
【請求項５】
専用の空間内の一壁面に、横臥せる釈迦の図像を中心にして人物の図像及び動物の図像を表した釈迦涅槃図が装着され、写真や図像にて表示された愛玩動物の遺影が複数個、上記空間内の任意の壁面に装着されており、又は請求項１に記載の収納装置に収納されており、葬儀又は供養の際には上記複数個の遺影のうち必要な遺影を壁面又は収納装置から取り外して釈迦涅槃図に近接させて設置できるように構成した愛玩動物用の葬儀・供養システム。
【請求項６】
専用の空間内に、横臥せる釈迦の立体像あるいは横臥せる釈迦の半立体像を表した釈迦涅槃像が設置され、写真や図像にて表示された愛玩動物の遺影が複数個、上記空間内の任意の壁面に装着されており、又は請求項２に記載の収納装置に収納されており、葬儀又は供養の際には上記複数個の遺影のうち必要な遺影を壁面又は収納装置から取り外して釈迦涅槃像に近接させて設置できるように構成した愛玩動物用の葬儀・供養システム。
【請求項７】
写真や図像にて表示された愛玩動物の複数個の遺影を装着する壁面の下部に５〜３０ｃｍの幅で突出する部分を有する台部が設けられ、該台部の正面に動物の図像あるいは人物と動物の図像の組み合わせが表示されていることを特徴とする請求項５あるいは請求項６に記載の愛玩動物用の葬儀・供養システム。
【請求項８】
専用の空間内の一壁面に、横臥せる釈迦の図像を中心にして人物の図像及び動物の図像を表した釈迦涅槃図が装着され、写真や図像にて表示された愛玩動物の遺影が複数個、上記空間内に配設された請求項１に記載の収納装置に収納されており、葬儀又は供養の際には上記複数個の遺影のうち必要な遺影を収納装置から取り外して釈迦涅槃図に近接させて設置できるように構成した愛玩動物用の葬儀・供養システム。
【請求項９】
専用の空間内の一壁面に、横臥せる釈迦の立体像あるいは横臥せる釈迦の半立体像を表した釈迦涅槃像が設置され、写真や図像にて表示された愛玩動物の遺影が複数個、上記空間内に配設された請求項２に記載の収納装置に収納されており、葬儀又は供養の際には上記複数個の遺影のうち必要な遺影を収納装置から取り外して釈迦涅槃図に近接させて設置できるように構成した愛玩動物用の葬儀・供養システム。
【請求項１０】
写真や図像にて表示された愛玩動物の複数個の遺影を収納する収納装置の下部に５〜３０ｃｍの幅で突出する部分を有する台部が設けられ、該台部の正面に動物の図像あるいは人物と動物の図像の組み合わせが表示されていることを特徴とする請求項８あるいは請求項９に記載の愛玩動物用の葬儀・供養システム。
【考案の詳細な説明】
【技術分野】
【０００１】
本考案は、寺院や葬祭施設内の専用の空間内に、釈迦涅槃図あるいは釈迦涅槃像と愛玩動物の写真や図像等を併置して葬儀及び供養を行う愛玩動物用の葬儀・供養システムに関するものである。
【背景技術】
【０００２】
従来より、家庭内に設置して愛玩動物（以下、ペットとも呼称）を供養するための装置や道具は、下記特許文献１〜９に示すように、様々なタイプのものが発明・考案されている。例えば、下記特許文献１の「ペット用葬儀壇」はペットの棺と葬儀用備品を収納し、葬儀や供養の際には祭壇として展開できるもので、「家庭内でも、手軽で安価にペットの供養ができ」と記載されている。
【０００３】
下記特許文献２の「ペット用位牌」は、ペットの写真と銘板を一体として組み込んだ位牌であり、下記特許文献３の「収納型ペット供養塔」は、蝋燭型発光体とペット遺物収納容器を備えた箱の扉にペットの遺影写真を配置できるように構成されている。さらに、下記特許文献４の「動物のお墓」はペット用の簡易墓であり、個人の庭先や畑に設置する目的の発明である。
【０００４】
また、下記特許文献５の「供養箱」は、蓋部分の内側に仏画、神画、護符を祀り、本体部分に遺影を掲げ、内部に遺骨や遺品を収納するもので、やはりコンパクトな家庭用として考えられている。さらに、下記特許文献６の「ペット用供養具」も同じく家庭内に置くものであり、小箱にペットの遺骨と遺影、香炉などの小物を収納する。下記特許文献７の「卓上型供養具」も同じく家庭用で、遺骨、墓、香炉をセットとしてコンパクトに構成している。
【０００５】
さらに、下記特許文献８の「ルーペ付横型ペット用位牌」は、ペットの写真の前に拡大レンズを設けた横型位牌でやはり家庭用であり、下記特許文献９の「ペット用簡易仏壇」も位牌や模型蝋燭、模型花立、ペットの写真、模型仏堂と庭を備えたコンパクトな家庭用の仏壇として考案されたものである。
【０００６】
このように、従来の愛玩動物用の葬儀又は供養のための発明や考案は、家庭内に設置することを考えて、よりコンパクトで手軽に、簡易に製作するという方向をもって開発されたものが殆どであり、この逆の方向、すなわち、葬儀及び供養の専門的な施設である寺院や葬祭施設において愛玩動物用の葬儀あるいは供養を行うための装置や道具や部屋などに関する発明・考案は、今回調査した限りにおいては見出すことができなかった。
【０００７】
この原因は、やはり、対象が人間ではなく、愛玩動物、すなわちペットである点が大きいと思われる。対象が人間の場合には、葬儀・供養を行うためのシステムや個々の装置、道具、部屋や、また墓の構成などは、仏教伝来以降に限っても既に千年を遥かに越える歴史があり、また、現在においても、様々な発明や考案がなされている。しかしながら、対象が愛玩動物の場合、そもそも愛玩動物に対して葬儀や供養を行うという発想が一般的ではなく、現代の所謂「ペットブーム」において、はじめて愛玩動物を対象とする葬儀や供養が一般的な慣習としても受け容れられはじめたといい得るのである。
【０００８】
従って、寺院や葬祭施設などにおいても、愛玩動物を対象とした葬儀や供養のシステムが一定のものとして定まっておらず、葬儀や供養の装置や道具や部屋などについても、専用のものを有しているところはごく稀である。また、人によっては、人間の葬儀や供養と動物のそれを一緒に行うことに抵抗を感じる場合も多く、その点からも、愛玩動物の葬儀や供養を、寺院や葬祭施設などの専門的な施設において行うということが広く慣習化しているとは到底謂い難いのが現状である。故に、愛玩動物の葬儀や供養のための装置や道具もいきおい家庭用に限定されることになり、住宅事情の狭小化と相まって、コンパクト化、簡易化が技術革新の一つの指標ともなっている状態である。
【０００９】
しかしながら、愛玩動物を有する人々の間においては、自分の可愛がっていた愛玩動物が死亡した場合、該愛玩動物を家族同様にいとおしむ気持ちから、人間なみ、あるいはそれに近い葬儀や供養を行いたいという人々も多く、寺院や葬祭施設での葬儀や供養の潜在的な需要は非常に多いものであると考えられる。
【００１０】
寺院や葬祭施設側においても、愛玩動物を飼っている多くの人々からそのような声が寄せられるので、潜在的な需要の多さについては十分に理解が進んでいる。しかしながら、では、どのようなシステムで、どのような装置や道具を用いて行えばよいのか、その点がわからなかったというのがこれまでの状況である。前述のように、人間と全く同じシステムで、同じ装置や道具を用いて行うには違和感が大きすぎるが、さりとて愛玩動物の葬儀や供養に最適のシステム、装置、道具類は、未だ現出しておらず、上記潜在的需要に応えることのできない状態が、長く続いていた。
【００１１】
その中でも、寺院において特に違和感が大きかったのが、所謂「ご本尊」としてどのような仏を配置するかという問題であった。すなわち、人間の葬儀や供養であれば、寺院においては本堂にて行われるのが普通であり、僧侶や参列者は本堂に安置されている「ご本尊」に対して礼拝を行う。「ご本尊」は各寺院によって異なり、阿弥陀如来の所もあれば観音菩薩の所もあり、また他の仏の所もあるという具合であるが、共通しているのは、「ご本尊」は殆どの場合が「人間の形状」であるという点である。
【００１２】
人間の形状のご本尊の前で人間を対象とした葬儀や供養を行うということには何等問題は生じない。しかしながら、人間の形状のご本尊の前で動物を対象とした葬儀や供養を行うということについては、寺院側においても、また参列者の側においても違和感が大きく、寺院において愛玩動物を対象とした葬儀や供養が行いにくかった一番大きな原因は、実はここにあったといわねばならない。
【００１３】
むろん、阿弥陀如来にしても観音菩薩にしても他の仏にしても、「一切の衆生を救済する」という点にその本質があるということは、寺院側においても参列者側においても十分に理解されていることであるので、人間の形のご本尊の前で愛玩動物の葬儀や供養を行うことについては、理論的にはなんら問題は生じないはずである。しかしながら、現実には、やはり大きな違和感があり、特にこの点を解消するような愛玩動物専用の画期的な葬儀・供養のシステムが待望されているのが現状である。
【特許文献１】特開平１０‐１５１０６２号公報
【特許文献２】特開平１０‐３０９２３０号公報
【特許文献３】特開２０００−１３９６７９号公報
【特許文献４】特開２００２−２２０９４６号公報
【特許文献５】特開２００７−６９３４号公報
【特許文献６】登録実用新案第３０８３１２９号公報
【特許文献７】登録実用新案第３０８３５５０号公報
【特許文献８】登録実用新案第３０８９２１０号公報
【特許文献９】実開平０６−４５４４７号公報
【考案の開示】
【考案が解決しようとする課題】
【００１４】
以上より、本考案の課題をまとめてみれば、次のとおりとなる。
＜課題１＞
家庭用ではなく、寺院や葬祭施設などの専門的な施設において愛玩動物の葬儀や供養を行うための最適のシステム、装置、道具、部屋の構成などを新たに開発する。
＜課題２＞
その際に、人間を対象とする葬儀や供養の際の礼拝の中心対象となる「ご本尊」に相当し、対象が動物であっても違和感を生じない「ご本尊」をきちんと定めることを中心の目標として全体のシステムを構成する。
【課題を解決するための手段】
【００１５】
本考案は、上記課題を解決するためになされたものであって、以下に述べる解決手段を提供するものである。
＜解決手段１＞
専用の空間内に、横臥せる釈迦の図像を中心にして人物の図像及び動物の図像を表した釈迦涅槃図に加え、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のうちのいずれか、又はそれらの組み合わせ、さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易且堅固さを配置してなることを特徴とする愛玩動物用の葬儀供養システム。
＜解決手段２＞
専用の空間内に、横臥せる釈迦の姿を表した釈迦涅槃像に加え、愛玩動物の遺影、愛玩動物の立体像、愛玩動物の半立体像、愛玩動物の映像、愛玩動物の名前を表記した文字、愛玩動物の遺骨、愛玩動物の位牌、のうちのいずれか、又はそれらの組み合わせ、さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易且堅固さを配置してなることを特徴とする愛玩動物用の葬儀・供養システム。
＜解決手段３＞
釈迦涅槃図が上記空間内の壁面に装着され、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のいずれか、又はそれらの組み合わせ、が釈迦涅槃図の手前に設置されていることを特徴とする解決手段１に記載の愛玩動物用の葬儀・供養システム。
＜解決手段４＞
釈迦涅槃像が上記空間内に設置され、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のいずれか、又はそれらの組み合わせ、が釈迦涅槃像の手前に設置されていることを特徴とする解決手段２に記載の愛玩動物用の葬儀・供養システム。
＜解決手段５＞
専用の空間内の一壁面に、横臥せる釈迦の図像を中心にして人物の図像及び動物の図像を表した釈迦涅槃図が装着され、写真や図像にて表示された愛玩動物の遺影が複数個、上記空間内の任意の壁面に装着されており、又は解決手段１に記載の収納装置に収納されており、葬儀又は供養の際には上記複数個の遺影のうち必要な遺影を壁面又は収納装置から取り外して釈迦涅槃図に近接させて設置できるように構成した愛玩動物用の葬儀・供養システム。
＜解決手段６＞
専用の空間内に、横臥せる釈迦の立体像あるいは横臥せる釈迦の半立体像を表した釈迦涅槃像が設置され、写真や図像にて表示された愛玩動物の遺影が複数個、上記空間内の任意の壁面に装着されており、又は解決手段１に記載の収納装置に収納されており、葬儀又は供養の際には上記複数個の遺影のうち必要な遺影を壁面又は収納装置から取り外して釈迦涅槃像に近接させて設置できるように構成した愛玩動物用の葬儀・供養システム。
＜解決手段７＞
写真や図像にて表示された愛玩動物の複数個の遺影を装着する壁面の下部に５〜３０ｃｍの幅で突出する部分を有する台部が設けられ、該台部の正面に動物の図像あるいは人物と動物の図像の組み合わせが表示されていることを特徴とする解決手段５あるいは解決手段６に記載の愛玩動物用の葬儀・供養システム。
＜解決手段８＞
専用の空間内の一壁面に、横臥せる釈迦の図像を中心にして人物の図像及び動物の図像を表した釈迦涅槃図が装着され、写真や図像にて表示された愛玩動物の遺影が複数個、上記空間内に配設された解決手段１に記載の収納装置に収納されており、葬儀又は供養の際には上記複数個の遺影のうち必要な遺影を収納装置から取り外して釈迦涅槃図に近接させて設置できるように構成した愛玩動物用の葬儀・供養システム。
＜解決手段９＞
専用の空間内の一壁面に、横臥せる釈迦の立体像あるいは横臥せる釈迦の半立体像を表した釈迦涅槃像が設置され、写真や図像にて表示された愛玩動物の遺影が複数個、上記空間内に配設された解決手段１に記載の収納装置に収納されており、葬儀又は供養の際には上記複数個の遺影のうち必要な遺影を収納装置から取り外して釈迦涅槃図に近接させて設置できるように構成した愛玩動物用の葬儀・供養システム。
＜解決手段１０＞
写真や図像にて表示された愛玩動物の複数個の遺影を収納する収納装置の下部に５〜３０ｃｍの幅で突出する部分を有する台部が設けられ、該台部の正面に動物の図像あるいは人物と動物の図像の組み合わせが表示されていることを特徴とする解決手段８あるいは解決手段９に記載の愛玩動物用の葬儀・供養システム。
【００１６】
本考案においては、愛玩動物を対象とした場合における礼拝の中心となるべき「ご本尊」として、「釈迦涅槃図」あるいは「釈迦涅槃像」を採用した。これにより、本発明のシステムには明確な中心が生まれ、愛玩動物を対象とした葬儀や供養に最適なシステムを構成できるに至ったのである。
【００１７】
周知のように、「釈迦涅槃図」とは、釈迦の入滅の際の状況を平面的な図像にて表現したものであり、古来より多くの画家や仏師によって数多くの図像が作られてきたが、京都の東福寺所蔵のものや泉湧寺所蔵のもの、東京の安養院所蔵のものなどが名作として著名である。また、立体像では福岡県南蔵院の巨大涅槃像、山形県乗船寺の涅槃像などが有名であり、ミャンマーやタイなど東南アジアにも良く知られた釈迦涅槃像がある。
【００１８】
「釈迦涅槃図」は、通常、横臥せる釈迦の図像を中心として、周囲を複数の人物像（釈迦の弟子など）が取り巻き、さらにその周囲を数多くの動物たちが取り巻いている姿に描かれる。動物の種類は図像によっても異なるが、象、獅子、虎、熊、鹿、犬、猪、兎、猿、馬などの哺乳動物はもとより、各種の鳥類、蟹などの甲殻類、蛇や蛙などの爬虫類や両生類まで描かれ、およそ愛玩動物として考えられる殆どの種類の動物を網羅する。猫の描かれたものも少ないが存在する。本発明において用いられる「釈迦涅槃図」においては、愛玩動物として重要な存在である猫が描かれていることが望ましい。
【００１９】
これほどに多くの動物たちが描かれる仏画は、「釈迦涅槃図」しかなく、したがってこの「釈迦涅槃図」は、動物を対象とする葬儀や供養の際に「ご本尊」として用いるに最適のものである。中心となる存在はむろん釈迦であるが、多くの動物たちが描かれている点において、動物を対象とする葬儀に用いても全く違和感がない。しかも、この「釈迦涅槃図」は、通常は、旧暦の２月１５日の「涅槃会」の際にしか礼拝の対象とはならないので、人間を対象とした葬儀や供養に用いられるという慣習が皆無であり、この点からも、全く違和感なく動物を対象とする葬儀や供養の際に用いることができるものである。
【考案の効果】
【００２０】
本考案の解決手段１あるいは解決手段２の考案によれば、専用の空間内に、釈迦涅槃図あるいは釈迦涅槃像に加え、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のいずれか、又はそれらの組み合わせ、を配置してなるので、動物を対象とする葬儀や供養の際にも違和感はまったくなく葬儀や供養を執り行うことができる。さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易である。したがって、愛玩動物の葬儀・供養を円滑に執り行うことができる。
また、愛玩動物の遺影が収納されている本体が飾部と台部との中間にて挟着されているゆえ、本体内の遺影は頗る堅固に保持され妄りに揺動することがない。
【００２１】
特に、釈迦涅槃図あるいは釈迦涅槃像は、人間を対象とする葬儀や供養には用いられることがないので、人間を対象とする葬儀や供養との明確な区別化が可能となり、この点において、両者の混交を嫌う人々においても全く抵抗感なく受け容れることができる愛玩動物用の葬儀・供養システムを形成できる。釈迦涅槃図あるいは釈迦涅槃像は、寺院以外においても設置可能であるので、公共あるいは民間の葬祭施設においても専用の部屋を設けて釈迦涅槃図あるいは釈迦涅槃像を設置することにより、人間を対象とした葬儀や供養と完全に区別して、愛玩動物を対象とする葬儀や供養を行うことができる。むろん寺院においても専用の部屋を設けてそこに釈迦涅槃図あるいは釈迦涅槃像を設置して愛玩動物を対象とする葬儀や供養を行えば、人間を対象とする葬儀や供養との混交感は全くなくなり、極めて合理的である。
【００２２】
また、本考案の解決手段３、４の考案によれば、釈迦涅槃図を壁面に装着し、あるいは釈迦涅槃像を壁面近くに設置し、その手前に、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のいずれか、又はそれらの組み合わせ、を配置すれば良いので、人間を対象とした葬儀や供養の際と全く同様の進め方で愛玩動物の葬儀や供養を執り行うことが可能である。且又さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易である。したがって、愛玩動物の葬儀・供養を円滑に執り行うことができる。
また、愛玩動物の遺影が収納されている本体が飾部と台部との中間にて挟着されているゆえ、本体内の遺影は頗る堅固に保持され妄りに揺動することがないことは勿論である。
【００２３】
さらに、本考案の解決手段５、６、８、９の発明によれば、釈迦涅槃図が装着あるいは釈迦涅槃像が設置された部屋に、写真や図像にて表示された愛玩動物の遺影が複数個、上記空間内の任意の壁面に装着されており、又は収納装置に収納されており、葬儀あるいは供養の際には上記複数個の遺影のうち必要な遺影を壁面あるいは収納装置から取り外して釈迦涅槃図に近接させて設置できるように構成してあるので、多数の愛玩動物の葬儀や供養を一つの部屋で行うことが可能となる。また、愛玩動物の遺影は、壁面に装着あるいは収納装置に収納されている状態においても、常に釈迦涅槃図あるいは釈迦涅槃像と同一の部屋に存在していることになり、愛玩動物が常時釈迦に見守られているという安心感を抱くことができる。且又さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易である。したがって、愛玩動物の葬儀・供養を円滑に執り行うことができる。
また、愛玩動物の遺影が収納されている本体が飾部と台部との中間にて挟着されているゆえ、本体内の遺影は頗る堅固に保持され妄りに揺動することがないことは勿論である。
【００２４】
さらに、本考案の解決手段７、１０の発明によれば、写真や図像にて表示された愛玩動物の複数個の遺影を装着する壁面あるいは収納する収納装置の下部に５〜３０ｃｍの幅で突出する部分を有する台部が設けられているので、壁面に自分の愛玩動物の遺影を装着あるいは収納装置に収納した人は、随時訪問し、該台部の突出する部分に香炉を設置して焼香を行うことができる。
【００２５】
さらに、本考案の解決手段７、１０の発明によれば、上記台部の正面に動物の図像あるいは人物と動物の図像の組み合わせが表示されているので、部屋全体が愛玩動物を対象とする葬儀や供養の専用室であるという印象がより強められると同時に、中心である釈迦涅槃図あるいは釈迦涅槃像中の動物の図像と上記台部の正面に表示された動物の図像が視覚的な印象をもって連係され、これによって壁面に装着あるいは収納装置に収納されている愛玩動物の遺影と釈迦涅槃図あるいは釈迦涅槃像との結びつきがより強化される。なお、さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易である。したがって、愛玩動物の葬儀・供養を円滑に執り行うことができる。
また、愛玩動物の遺影が収納されている本体が飾部と台部との中間にて挟着されているゆえ、本体内の遺影は頗る堅固に保持され妄りに揺動することがないことは勿論である。
【考案を実施するための最良の形態】
【００２６】
本考案を実施するための最良の形態を、以下に図面を参照しながら詳細に記述する。
【実施例１】
【００２７】
＜実施例１の構成＞
実施例１の葬儀・供養システムＦ１を図１に示す。葬儀・供養システムＦ１は、寺院や葬祭施設などに設けられた専用の空間Ｓ１内に設置される。空間Ｓ１は、寺院や葬祭施設の内部に設けられても良いし、あるいは敷地内に独立の建物（図示せず）を立ててそこに設けても良い。該独立の建物は恒久的なものでも仮設的なものでも良い。あるいは、建物ではなく、庭園等の一部を幕やパネルなどで区切って設けても構わない。いずれにせよ、寺院や葬祭施設の他の部分からは区切られた印象が生ずれば、その場所を専用の空間Ｓ１といい得るものである。
【００２８】
図１に示す専用の空間Ｓ１は、壁面Ｗ１、Ｗ２、Ｗ３を少なくとも有し、さらに天井ＣＬと床ＦＬを有している。壁面Ｗ１、Ｗ２、Ｗ３のうち、壁面Ｗ２、Ｗ３は欠いても良く、幕体やパネル等で代替されても良い。壁面Ｗ１も、後述の釈迦涅槃図１を装着できる手段があれば、必ずしも固設されたものではなく幕体やパネル等で代替されても良い。また、専用の空間Ｓ１が屋外や天井の高いホール内に設置される場合には、天井ＣＬを欠いても良い。床ＦＬも、専用の空間Ｓ１が屋外に設けられる場合には、地面をそのまま床ＦＬとすることも当然可能である。
【００２９】
なお、図１において、Ｌ１、Ｌ２は照明である。照明Ｌ１、Ｌ２は、執り行われる葬儀や供養の進行に合わせて明度や色等を調節することが可能である。照明Ｌ１、Ｌ２は、壁面Ｗ１、Ｗ２、Ｗ３に装着することもできるし、また独立光源として須弥壇ＳＭ上や床ＦＬに載置することも可能である。また、これに楽器類や音響設備（図示せず）を加えることも無論可能である。
【００３０】
図１に示す専用の空間Ｓ１においては、壁面Ｗ１に釈迦涅槃図１が掛着され、床ＦＬの釈迦涅槃図１の手前の部分に須弥壇ＳＭが配設され、さらにその手前に焼香机ＳＫが配設されている。そして、須弥壇ＳＭの上には愛玩動物Ｐの遺影２が置かれている。愛玩動物Ｐは写真又は絵やイラストレーションなどの図像で表現され、額２１に収納されている。また、Ｌは愛玩動物Ｐの名前を表記した文字である。なお、遺影２の裏面には遺影２を自立させる自立手段が設けられているが、該自立手段は公知技術であるので詳述しない。
【００３１】
なお、愛玩動物Ｐの遺影２の向かって左側には愛玩動物の遺骨Ｂが骨箱に収納されて載置され、向かって右側には愛玩動物の位牌Ｅが載置されている。Ｅｍは位牌Ｅに表示された愛玩動物Ｐの戒名である。また、焼香机ＳＫの上には焼香用の香炉Ｋが載置されている。
【００３２】
釈迦涅槃図１は掛け軸の形態に表装されているが、むろん額入りあるいはパネル仕立てでもかまわない。釈迦涅槃図１の中心部分には横臥せる釈迦の図像１１が表示され、その周囲には複数の人物の図像１２、１２、……が表示され、さらにその周囲には複数の動物の図像１３、１３、……が表示されている。これらに加え、さらに釈迦の母である摩耶夫人の図像（図示せず）が表示されていても良い。
【００３３】
須弥壇ＳＭの上に載置された愛玩動物Ｐの遺影２に換えて、愛玩動物Ｐの半立体像（図示せず）または立体像（図示せず）を載置することも当然可能である。また、該半立体像や立体像中に粉状とした遺骨を混合することも、額２１中に粉状とした遺骨を混合することも可能である。さらには、位牌Ｅの材質中に粉状とした遺骨を混合することも考えられる。
【００３４】
図１にては、愛玩動物Ｐの遺影２中に愛玩動物Ｐの名前を表記した文字Ｌを表示しているが、名前を表記した文字Ｌのみを額２１に収納した状態でも構わない。あるいは、額２１を用いることなく、遺影２や文字Ｌを直接パネル仕立てにして載置することも可能である。さらには、遺影２に換えてモニタ（図示せず）を載置し、そこに愛玩動物Ｐの映像が表示されるようにしても良い。
【００３５】
＜実施例１の作用＞
実施例１の葬儀・供養システムＦ１において、葬儀を行う際には、釈迦涅槃図１を壁面Ｗ１に掛着し、愛玩動物Ｐの遺影２を須弥壇ＳＭ上に載置する。これに加え、愛玩動物Ｐが焼却済みであれば遺骨Ｂと位牌Ｅを須弥壇ＳＭ上に載置する。愛玩動物Ｐが焼却前であれば愛玩動物Ｐの遺体を棺（図示せず）に収納して須弥壇ＳＭの前方か後方に配設する。さらに、須弥壇ＳＭの手前に香炉Ｋを載置した焼香机ＳＫを配設して葬儀の準備は完了する。後は、僧侶（図示せず）と参列者（図示せず）により、人間の葬儀に準じた手順にて葬儀を執り行えば良い。なお、献花（図示せず）や奏楽（図示せず）等を適宜加えるのは自由である。
【００３６】
次に、実施例１の葬儀・供養システムＦ１において、法事等の供養を行う際には、釈迦涅槃図１を壁面Ｗ１に掛着し、愛玩動物Ｐの遺影２を須弥壇ＳＭ上に載置する。これに加え、適宜遺骨Ｂと位牌Ｅを須弥壇ＳＭ上に載置する。さらに、須弥壇ＳＭの手前に香炉Ｋを載置した焼香机ＳＫを配設して供養の準備は完了する。後は、僧侶（図示せず）と参列者（図示せず）により、人間の供養に準じた手順にて供養を執り行えば良い。なお、やはり献花（図示せず）や奏楽（図示せず）等を適宜加えるのは自由である。
【００３７】
実施例１の葬儀・供養システムＦ１においては、葬儀においても供養においても、必要不可欠の要件は、専用の空間Ｓ１、釈迦涅槃図１、愛玩動物Ｐの遺影２又は遺骨Ｂ又は位牌Ｅである。専用の空間Ｓ１を有するが故に寺院や葬祭施設の他の空間との明確な区別化が行われ、ために人間の葬儀や供養と混同されることなく、人間の葬儀や供養のために参列している人々が抱く違和感は大幅に緩和される。
【００３８】
また、釈迦涅槃図１において多数の動物の図像１３、１３、……が存在するので、愛玩動物のための葬儀・供養システムであるという点が強調され、この面にても人間の葬儀や供養のために参列している人々が抱く違和感が大きく軽減されるとともに、愛玩動物Ｐの飼い主や参列者にとっては、愛玩動物Ｐが釈迦と共に成仏するという印象が強調され、安堵感と慰撫感を味わうことが可能となる。
【実施例２】
【００３９】
＜実施例２の構成＞
実施例２の葬儀・供養システムＦ２を図２に示す。実施例２の葬儀・供養システムＦ２の構成は、専用の空間Ｓ２において、実施例１の葬儀・供養システムＦ１の釈迦涅槃図１を釈迦涅槃像３に入れ替えただけで、残りの部分の構成は実施例１の葬儀・供養システムＦ１と同様である。図２に見るように、須弥壇ＳＭの後部に基台ＢＳが載置され、基台ＢＳ上に横臥せる釈迦の姿を立体像で表現した釈迦涅槃像３が載置されている。
【００４０】
＜実施例２の作用＞
実施例２の葬儀・供養システムＦ２の作用は、実施例１の葬儀・供養システムＦ１の作用と略同一である。ただ、釈迦涅槃像は通常単独で表現されるものであるので、基台ＢＳの側面部分に複数の動物の図像（図示せず）を表示することも考えられる。
【実施例３】
【００４１】
＜実施例３の構成＞
実施例３の葬儀・供養システムＦ３を図３に示す。実施例３の葬儀・供養システムＦ３の構成は、実施例１の葬儀・供養システムＦ１と略同様であるが、専用の空間Ｓ３において、壁面Ｗ２と壁面Ｗ３に複数の凹部Ｕ、Ｕ、……が設けられ、夫々の凹部Ｕに愛玩動物Ｐの遺影４が嵌めこまれている。図３では、遺影４、４、……は５段構成となっているが、配列や段数、個数は適宜定めれば良い。
【００４２】
遺影４、４、……は夫々に異なる愛玩動物Ｐ、Ｐ、……の遺影であって、例えば凹部Ｕの個数が１００であるとすれば、空間Ｓ３には１００匹分の愛玩動物Ｐ、Ｐ、……の遺影４、４、……が収納可能である。
【００４３】
＜実勢例３の作用＞
実施例３の葬儀・供養システムＦ３においては、葬儀や供養の際に、対象となる愛玩動物Ｐの遺影４を凹部Ｕから取り外し、須弥壇ＳＭ上に載置して葬儀あるいは供養を行う。葬儀あるいは供養が終了すれば、当該の遺影４を再び凹部Ｕに嵌めこむ。このようにして、遺影４、４、……の数だけの葬儀あるいは供養を個別に行うことが可能となる。なお、遺影４の裏面には遺影４を自立させる自立手段が設けられているが、該自立手段は公知技術であるので詳述しない。
【００４４】
実施例３の葬儀・供養システムＦ３においては、複数の愛玩動物Ｐ、Ｐ、……の遺影４、４、……を常に釈迦涅槃図１のある空間Ｓ３に釈迦涅槃図１と共に保持しておけるので、愛玩動物Ｐ、Ｐ、……の飼い主にとっては、自分の大切な愛玩動物Ｐ、Ｐ、……が常に釈迦と共に極楽浄土にいるのであるという思いを味わうことが可能である。また、葬儀や供養の際には自分の愛玩動物Ｐの遺影４を凹部Ｕから取り外して釈迦涅槃図１の近傍に載置できるので、自分の愛玩動物Ｐに対してだけの個別の葬儀や供養を執り行ってもらっているという意識も強く持つことができる。
【実施例４】
【００４５】
＜実施例４の構成＞
実施例４の葬儀・供養システムＦ４を図４に示す。実施例４の葬儀・供養システムＦ４の構成は、実施例３の葬儀・供養システムＦ３と略同様であるが、専用の空間Ｓ４において、壁面Ｗ２（と壁面Ｗ３）には凹部は設けられず、代わりに収納装置５が配設されている点が実施例３の葬儀・供養システムＦ３の構成と異なっている。
【００４６】
収納装置５は本体５１と本体５１の上部に設けられた飾部５２、及び本体５１の下部に設けられ本体５１が載置されている台部５３より構成されている。本体５１には複数の凹部Ｖ、Ｖ、……が設けられ、凹部Ｖ、Ｖ、……に愛玩動物Ｐ、Ｐ、……の遺影６、６、……が嵌めこまれている。図４では、凹部Ｖ、Ｖ、……は１列１４個の５段構成で計７０個となっており、合計７０枚の遺影６、６、……を収納可能である。いうまでもなく凹部Ｖの配列や段数、個数は適宜設計可能であって、収納可能な遺影６、６、……の枚数もこれに限られない。
【００４７】
愛玩動物Ｐ、Ｐ、……の遺影６、６、……は実施例３同様夫々に異なる愛玩動物Ｐの遺影であって、図４の収納装置５では凹部Ｖの個数が７０であることは上記のとおりである。図示はしないがもう一方の壁面にも同様の収納装置があるとすれば、空間Ｓ４には１４０匹分の愛玩動物Ｐ、Ｐ、……の遺影６、６、……が収納可能である。
【００４８】
収納装置５においては、本体５１と台部５３の幅Ｗは同一で、３７００ｍｍ、本体５１の奥行きＤ１は６０ｍｍ、台部５３の奥行きＤ２は１５０ｍｍである。したがって、台部５３の上面は、本体５１の正面からさらに奥行きＤ３（９０ｍｍ）分の突出部分を有することになる。この突出部分には焼香用の香炉が載置されるので、この部分の奥行きＤ３の最小値は５０ｍｍ程度である。なお、Ｄ３の最大値についての限定はないが、常識的に考えれば３００ｍｍ程度となると考えられる。
【００４９】
なお、収納装置５の本体５１と台部５３の幅Ｗについては、壁面Ｗ２のサイズや運搬の都合等に合わせて適宜決定すればよい。また、本体５１の奥行きＤ１については、遺影６が余裕をもって収納できる程度が最小値となり、遺影６の形状が通常の額であると考えると、５０ｍｍ程度が奥行きＤ１の最小値となる。Ｄ１の最大値については限定されないが、Ｄ１が必要以上に大になっても意味がないので、１００ｍｍ程度が最大値になると考えられる。しかし、凹部Ｖに遺骨や遺品等の収納部を併設する場合には、当然１００ｍｍを越える値となる。
【００５０】
次に、本体５１の高さＨ１は１１００ｍｍ、飾部５２の高さＨ２は４５０ｍｍ、台部５３の高さＨ３は６００ｍｍであるので、収納装置５の高さＨは２１５０ｍｍとなる。台部５３の高さＨ３については、本体５１の最下列の凹部Ｖ、Ｖ、……の高さが、人が床ＦＬに座って拝める程度となるので、ここからＨ３＝６００ｍｍ程度が適当とされるが、Ｈ３＝５００〜７００ｍｍの範囲内であればさほどの違和感を感じることなく拝めるものと思われる。
【００５１】
次に、本体５１の高さＨ１については、本体５１の最上列の凹部Ｖ、Ｖ、……の高さが、人が床ＦＬに立って拝める程度となるので、ここからＨ１＝１１００ｍｍ程度が適当とされるが、台部５３の高さＨ３を６００ｍｍとした場合、Ｈ１＝９００〜１２００ｍｍの範囲内であればさほどの違和感を感じることなく拝めるものと思われる。また、飾部５２の高さＨ２は天井ＣＬの高さとも関係するが、３００〜５００ｍｍ程度の数値範囲に収まるものと考えられる。
【００５２】
飾部５２と台部５３の正面部分には、数多くの動物の図像Ｚ、Ｚ、……が表示されている。動物の図像Ｚ、Ｚ、……は、壁面Ｗ１に掛けられている釈迦涅槃図１の中に表示された動物の図像１３、１３、……に対応するもので、図像１３、１３、……に準じた描き方で描かれる。図像Ｚ、Ｚ、……は、絵具で描かれても良いし、蒔絵でも良いし、その他の方法、例えば精巧な印刷によって表示されても良い。
【００５３】
図５は本体５１の一部の拡大正面視である。複数の縦枠５１ａ、５１ａ……と複数の横枠５１ｂ、５１ｂ、……によって凹部Ｖ、Ｖ、……が構成されており、夫々の凹部Ｖには愛玩動物Ｐの写真あるいは図像を表示した遺影６が嵌めこまれている。なお、Ｌは、愛玩動物Ｐの名前を表示した文字である。
【００５４】
図６ａに見るように、横枠５１ｂの上面には浅い溝Ｔ１が刻切され、下面には深い溝Ｔ２が刻切されている。遺影６は下端が溝Ｔ１の溝面Ｔ１ａに当接しているが、遺影６の上端は溝Ｔ２の溝面Ｔ２ａには当接しておらず、間隙Ｃが生じている。ただし、遺影６の上端正面は溝Ｔ２の側面Ｔ２ｂに当接していて、遺影６が凹部Ｖから脱落することがないように構成されている。このような収納方法は、仏具製作の業界では「ケドン式」と通称されている。なお、５１ｃは裏板である。
【００５５】
＜実施例４の作用＞
実施例４の葬儀・供養システムＦ４においては、実施例３の葬儀・供養システムＦ３同様、葬儀や供養の際に、対象となる愛玩動物Ｐの遺影６を収納装置５の凹部Ｖから取り外し、須弥壇ＳＭ上に載置して葬儀あるいは供養を行う。図４にては遺影６は専用の遺影立て７に嵌めこまれているが、遺影６の裏面に自立手段を設けて実施例１〜３同様に自立するように構成しても良い。自立手段については、前期のように公知であるので説明は省略する。
【００５６】
葬儀あるいは供養が終了すれば、当該の遺影６を収納装置５の凹部Ｖに再び嵌めこむ。このようにして、遺影６、６、……の数だけの葬儀あるいは供養を個別に行うことが可能となる点は実施例３の葬儀・供養システムＦ３と同様である。
【００５７】
実施例４の葬儀・供養システムＦ４においては、実施例３の葬儀・供養システムＦ３同様複数の愛玩動物Ｐ、Ｐ、……の遺影６、６、……を常に釈迦涅槃図１のある空間Ｓ４に釈迦涅槃図１と共に保持しておけるので、愛玩動物Ｐ、Ｐ、……の飼い主たちにとっては、自分の大切な愛玩動物Ｐ、Ｐ、……が常に釈迦と共に極楽浄土にいるのであるという思いを味わうことが可能である。
【００５８】
また、葬儀や供養の際には自分の愛玩動物Ｐの遺影６を凹部Ｖから取り外して釈迦涅槃図１の近傍に載置できるので、自分の愛玩動物Ｐに対してだけの個別の葬儀や供養を執り行ってもらっているという意識も強く持つことができる点も実施例３の葬儀・供養システムＦ３と同様である。
【００５９】
この際、遺影６を収納装置５の凹部Ｖから取り外す方法を、図６ｂに示す。遺影６を収納装置５の凹部Ｖから取り外す際には、溝Ｔ２に生じている間隙Ｃを利用して一旦遺影６を上方に持上げる（方向ａ）。このようにすることにより遺影６の下端は溝Ｔ１から外れるので、次に遺影６を下方に下ろし気味に手前に引く（方向ｂ）ことにより、遺影６は凹部Ｖから脱抜される。遺影６を凹部Ｖに嵌めこむ際には上記の逆のプロセスとなる。
【００６０】
さらに、実施例４の葬儀・供養システムＦ４においては、遺影６が収納装置５の凹部Ｖに嵌めこまれている状態の時にお参りに来ても、台部５３の突出した上面に香炉を載置できるので、焼香を伴った礼拝が可能となり、参列者はより満足した気持ちをもってお参りを終えることができる。
【００６１】
また、飾部５２と台部５３の正面に釈迦涅槃図１の動物の図像１３、１３、……に準じた描き方で描かれた動物の図像Ｚ、Ｚ、……が表示されているので収納装置５の凹部Ｖに収納された自分の愛玩動物Ｐが、釈迦涅槃図１とあい通じているという意識を強く持つことができ、自分の愛玩動物Ｐが、釈迦と共に極楽浄土に成仏できたという安心感をより強く持つことが可能である。なお、以上説明した実施例１乃至実施例４において、さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易である。したがって、愛玩動物の葬儀・供養を円滑に執り行うことができる。
また、愛玩動物の遺影が収納されている本体が飾部と台部との中間にて挟着されているゆえ、本体内の遺影は頗る堅固に保持され妄りに揺動することがない構成作用効果を伴うものであることは勿論である。
【産業上の利用可能性】
【００６２】
叙上のように、本考案は、これまで盲点となっていた寺院や葬祭施設における極めて合理的な愛玩動物用の葬儀・供養システムを提供するものであり、愛玩動物用の葬儀・供養に参列する人は元より、同一の寺院や施設において人間の葬儀・供養に参列する人にも全く違和感や抵抗感がなく受け容れられるものである。したがって、寺院や葬祭施設における愛玩動物用の葬儀・供養に対する潜在的な需要の高まりに十分に応え得るものであり、この分野における利用可能性は洵に大きなものがあると信ずる次第である。且又、愛玩動物の葬儀・供養を円滑に執り行うことができる。
【図面の簡単な説明】
【００６３】
【図１】本考案の実施例１の葬儀・供養システムの構成を説明する説明図である。
【図２】本考案の実施例２の葬儀・供養システムの構成を説明する説明図である。
【図３】本考案の実施例３の葬儀・供養システムの構成を説明する説明図である。
【図４】本考案の実施例４の葬儀・供養システムの構成を説明する説明図である。
【図５】本考案発の実施例４の葬儀・供養システムの収納装置に愛玩動物の遺影が収納された状態を説明する要部の拡大説明図である。
【図６】（ａ）図５の中心部の縦断面を説明する縦断面説明図である。    （ｂ）本考案の実施例４の葬儀・供養システムの収納装置の凹部から遺影６を取り外す方法を説明する説明図である。
【符号の説明】
【００６４】
１        釈迦涅槃図
１１      図像
１２      図像
１３      図像
２        遺影
２１      額
３        釈迦涅槃像
４        遺影
５        収納装置
５１      本体
５１ａ    縦枠
５１ｂ    横枠
５１ｃ    裏板
５２      飾部
５３      台部
６        遺影
７        遺影立て
Ｂ        遺骨
ＢＳ      基台
Ｃ        間隙
ＣＬ      天井
Ｄ１      奥行き
Ｄ２      奥行き
Ｄ３      奥行き
Ｅ        位牌
Ｅｍ      戒名
Ｆ１      葬儀・供養システム
Ｆ２      葬儀・供養システム
Ｆ３      葬儀・供養システム
Ｆ４      葬儀・供養システム
ＦＬ      床
Ｈ        高さ
Ｈ１      高さ
Ｈ２      高さ
Ｈ３      高さ
Ｋ        香炉
Ｌ        文字
Ｌ１      照明
Ｌ２      照明
Ｐ        愛玩動物
Ｓ１      空間
Ｓ２      空間
Ｓ３      空間
Ｓ４      空間
ＳＫ      焼香机
ＳＭ      須弥壇
Ｔ１      溝
Ｔ１ａ    溝面
Ｔ２      溝
Ｔ２ａ    溝面
Ｔ２ｂ    側面
Ｕ        凹部
Ｖ        凹部
Ｗ        幅
Ｗ１      壁面
Ｗ２      壁面
Ｗ３      壁面
Ｚ        図像
ａ        方向
ｂ        方向
【図１】
0003148256.tif 000003
【図２】
0003148256.tif 000004
【図３】
0003148256.tif 000005
【図４】
0003148256.tif 000006
【図５】
0003148256.tif 000007
【図６】
0003148256.tif 000008
【手続補正書】
【提出日】平成20年11月25日(2008.11.25)
【手続補正１】
【補正対象書類名】実用新案登録請求の範囲
【補正対象項目名】全文
【補正方法】変更
【補正の内容】
【実用新案登録請求の範囲】
【請求項１】
専用の空間内に、横臥せる釈迦の図像を中心にして人物の図像及び動物の図像を表した釈迦涅槃図に加え、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のうちのいずれか、又はそれらの組み合わせ、さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易且堅固さを配置してなることを特徴とする愛玩動物用の葬儀・供養システム。
【請求項２】
専用の空間内に、横臥せる釈迦の姿を表した釈迦涅槃像に加え、愛玩動物の遺影、愛玩動物の立体像、愛玩動物の半立体像、愛玩動物の映像、愛玩動物の名前を表記した文字、愛玩動物の遺骨、愛玩動物の位牌、のうちのいずれか、又はそれらの組み合わせ、さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易且堅固さを配置してなることを特徴とする愛玩動物用の葬儀・供養システム。
【請求項３】
釈迦涅槃図が上記空間内の壁面に装着され、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のいずれか、又はそれらの組み合わせ、が釈迦涅槃図の手前に設置されていることを特徴とする請求項１に記載の愛玩動物用の葬儀・供養システム。
【請求項４】
釈迦涅槃像が上記空間内に設置され、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のいずれか、又はそれらの組み合わせ、が釈迦涅槃像の手前に設置されていることを特徴とする請求項２に記載の愛玩動物用の葬儀・供養システム。
【請求項５】
専用の空間内の一壁面に、横臥せる釈迦の図像を中心にして人物の図像及び動物の図像を表した釈迦涅槃図が装着され、写真や図像にて表示された愛玩動物の遺影が複数個、上記空間内の任意の壁面に装着されており、又は収納装置に収納されており、葬儀又は供養の際には上記複数個の遺影のうち必要な遺影を壁面又は収納装置から取り外して釈迦涅槃図に近接させて設置できるように構成した請求項１に記載の愛玩動物用の葬儀・供養システム。
【請求項６】
専用の空間内に、横臥せる釈迦の立体像あるいは横臥せる釈迦の半立体像を表した釈迦涅槃像が設置され、写真や図像にて表示された愛玩動物の遺影が複数個、上記空間内の任意の壁面に装着されており、又は収納装置に収納されており、葬儀又は供養の際には上記複数個の遺影のうち必要な遺影を壁面又は収納装置から取り外して釈迦涅槃像に近接させて設置できるように構成した請求項２に記載の愛玩動物用の葬儀・供養システム。
【請求項７】
写真や図像にて表示された愛玩動物の複数個の遺影を装着する壁面の下部に５〜３０ｃｍの幅で突出する部分を有する台部が設けられ、該台部の正面に動物の図像あるいは人物と動物の図像の組み合わせが表示されていることを特徴とする請求項５あるいは請求項６に記載の愛玩動物用の葬儀・供養システム。
【請求項８】
専用の空間内の一壁面に、横臥せる釈迦の図像を中心にして人物の図像及び動物の図像を表した釈迦涅槃図が装着され、写真や図像にて表示された愛玩動物の遺影が複数個、上記空間内に配設された収納装置に収納されており、葬儀又は供養の際には上記複数個の遺影のうち必要な遺影を収納装置から取り外して釈迦涅槃図に近接させて設置できるように構成した請求項１に記載の愛玩動物用の葬儀・供養システム。
【請求項９】
専用の空間内の一壁面に、横臥せる釈迦の立体像あるいは横臥せる釈迦の半立体像を表した釈迦涅槃像が設置され、写真や図像にて表示された愛玩動物の遺影が複数個、上記空間内に配設された収納装置に収納されており、葬儀又は供養の際には上記複数個の遺影のうち必要な遺影を収納装置から取り外して釈迦涅槃図に近接させて設置できるように構成した請求項２に記載の愛玩動物用の葬儀・供養システム。
【請求項１０】
写真や図像にて表示された愛玩動物の複数個の遺影を収納する収納装置の下部に５〜３０ｃｍの幅で突出する部分を有する台部が設けられ、該台部の正面に動物の図像あるいは人物と動物の図像の組み合わせが表示されていることを特徴とする請求項８あるいは請求項９に記載の愛玩動物用の葬儀・供養システム。
【手続補正２】
【補正対象書類名】明細書
【補正対象項目名】００１５
【補正方法】変更
【補正の内容】
【００１５】
本考案は、上記課題を解決するためになされたものであって、以下に述べる解決手段を提供するものである。
＜解決手段１＞
専用の空間内に、横臥せる釈迦の図像を中心にして人物の図像及び動物の図像を表した釈迦涅槃図に加え、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のうちのいずれか、又はそれらの組み合わせ、さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易且堅固さを配置してなることを特徴とする愛玩動物用の葬儀供養システム。
＜解決手段２＞
専用の空間内に、横臥せる釈迦の姿を表した釈迦涅槃像に加え、愛玩動物の遺影、愛玩動物の立体像、愛玩動物の半立体像、愛玩動物の映像、愛玩動物の名前を表記した文字、愛玩動物の遺骨、愛玩動物の位牌、のうちのいずれか、又はそれらの組み合わせ、さらに、壁面に配設される収納装置は、本体と本体の上部に設けられた飾部及び本体の下部に設けられ本体が載置されている台部より構成され、本体に嵌め込まれている愛玩動物の遺影が飾部と台部との中間に存在する本体内に収納されているため、愛玩動物の遺影の出し入れが容易且堅固さを配置してなることを特徴とする愛玩動物用の葬儀・供養システム。
＜解決手段３＞
釈迦涅槃図が上記空間内の壁面に装着され、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のいずれか、又はそれらの組み合わせ、が釈迦涅槃図の手前に設置されていることを特徴とする解決手段１に記載の愛玩動物用の葬儀・供養システム。
＜解決手段４＞
釈迦涅槃像が上記空間内に設置され、写真や図像にて表示された愛玩動物の遺影、愛玩動物の立体像、愛玩動物の半立体像、愛玩動物の映像、愛玩動物の名前を表記した文字、愛玩動物の遺骨、愛玩動物の位牌、のいずれか、又はそれらの組み合わせ、が釈迦涅槃像の手前に設置されていることを特徴とする解決手段２に記載の愛玩動物用の葬儀・供養システム。
＜解決手段５＞
専用の空間内の一壁面に、横臥せる釈迦の図像を中心にして人物の図像及び動物の図像を表した釈迦涅槃図が装着され、写真や図像にて表示された愛玩動物の遺影が複数個、上記空間内の任意の壁面に装着されており、又は収納装置に収納されており、葬儀又は供養の際には上記複数個の遺影のうち必要な遺影を壁面又は収納装置から取り外して釈迦涅槃図に近接させて設置できるように構成した解決手段１に記載の愛玩動物用の葬儀・供養システム。
＜解決手段６＞
専用の空間内に、横臥せる釈迦の立体像あるいは横臥せる釈迦の半立体像を表した釈迦涅槃像が設置され、写真や図像にて表示された愛玩動物の遺影が複数個、上記空間内の任意の壁面に装着されており、又は収納装置に収納されており、葬儀又は供養の際には上記複数個の遺影のうち必要な遺影を壁面又は収納装置から取り外して釈迦涅槃像に近接させて設置できるように構成した解決手段２に記載の愛玩動物用の葬儀・供養システム。
＜解決手段７＞
写真や図像にて表示された愛玩動物の複数個の遺影を装着する壁面の下部に５〜３０ｃｍの幅で突出する部分を有する台部が設けられ、該台部の正面に動物の図像あるいは人物と動物の図像の組み合わせが表示されていることを特徴とする解決手段５あるいは解決手段６に記載の愛玩動物用の葬儀・供養システム。
＜解決手段８＞
専用の空間内の一壁面に、横臥せる釈迦の図像を中心にして人物の図像及び動物の図像を表した釈迦涅槃図が装着され、写真や図像にて表示された愛玩動物の遺影が複数個、上記空間内に配設された収納装置に収納されており、葬儀又は供養の際には上記複数個の遺影のうち必要な遺影を収納装置から取り外して釈迦涅槃図に近接させて設置できるように構成した解決手段１に記載の愛玩動物用の葬儀・供養システム。
＜解決手段９＞
専用の空間内の一壁面に、横臥せる釈迦の立体像あるいは横臥せる釈迦の半立体像を表した釈迦涅槃像が設置され、写真や図像にて表示された愛玩動物の遺影が複数個、上記空間内に配設された収納装置に収納されており、葬儀又は供養の際には上記複数個の遺影のうち必要な遺影を収納装置から取り外して釈迦涅槃図に近接させて設置できるように構成した解決手段２に記載の愛玩動物用の葬儀・供養システム。
＜解決手段１０＞
写真や図像にて表示された愛玩動物の複数個の遺影を収納する収納装置の下部に５〜３０ｃｍの幅で突出する部分を有する台部が設けられ、該台部の正面に動物の図像あるいは人物と動物の図像の組み合わせが表示されていることを特徴とする解決手段８あるいは解決手段９に記載の愛玩動物用の葬儀・供養システム。